【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
インクジェット記録ヘッドを往復走査させながら前記インクジェット記録ヘッドから記録媒体に対してインクを吐出することで前記記録媒体上に画像を記録するインクジェット記録装置であって、
画像に含まれる所定の領域を抽出する領域抽出手段と、
前記領域抽出手段によって抽出された前記所定の領域における境界部を記録するための前記インクジェット記録ヘッドの走査方向を、前記境界部を鮮明にする処理を行うか否かに関する情報に基づいて決定する決定手段と、
前記決定手段によって決定された前記走査方向に応じて前記境界部を記録する手段と、
を備えることを特徴とするインクジェット記録装置。
【請求項２】
前記情報が前記境界部を鮮明にする処理を行うことを示す場合、前記決定手段は、前記インクジェット記録ヘッドから吐出されるサテライトが主滴よりも前記所定の領域の内部寄りに着弾する確率が高い走査方向を選択することを特徴とする請求項１に記載のインクジェット記録装置。
【請求項３】
前記情報が前記境界部を非鮮明にする処理を行うことを示す場合、前記決定手段は、前記インクジェット記録ヘッドから吐出されるサテライトが主滴よりも前記所定の領域の外部寄りに着弾する確率が高い走査方向を選択することを特徴とする請求項１に記載のインクジェット記録装置。
【請求項４】
前記領域抽出手段は、複数の記録画素で構成される領域を前記所定の領域として抽出することを特徴とする請求項１乃至３のいずれか１項に記載のインクジェット記録装置。
【請求項５】
前記所定の領域の境界部は、前記所定の領域の輪郭部を構成する記録画素のうち、前記インクジェット記録ヘッドの走査方向において非記録画素と記録画素に挟まれている境界画素を少なくとも含むことを特徴とする請求項４に記載のインクジェット記録装置。
【請求項６】
前記非記録画素と記録画素に挟まれている境界画素は、前記インクジェット記録ヘッドの走査方向において非記録画素から記録画素へ移行する部分における記録画素からなる第１グループと、記録画素から非記録画素へ移行する部分における記録画素からなる第２グループとで構成され、
前記第１グループに属する境界画素と前記第２グループに属する境界画素は互いに異なる走査方向で記録されることを特徴とする請求項５に記載のインクジェット記録装置。
【請求項７】
インクジェット記録ヘッドを往復走査させながら前記インクジェット記録ヘッドから記録媒体に対してインクを吐出することで前記記録媒体上に画像を記録するインクジェット記録装置であって、
画像に含まれる所定の領域を抽出する領域抽出手段と、
前記領域抽出手段によって抽出された前記所定の領域における境界部を記録するための前記インクジェット記録ヘッドの走査方向を選択するための選択手段と、
前記選択手段によって選択された前記走査方向に応じて前記境界部を記録する手段とを備え、
前記選択手段は、前記インクジェット記録ヘッドから吐出されるサテライトが主滴よりも前記所定の領域の内部寄りに着弾する確率が高い走査方向と、前記インクジェット記録ヘッドから吐出されるサテライトが主滴よりも前記所定の領域の外部寄りに着弾する確率が高い走査方向とを選択可能であることを特徴とするインクジェット記録装置。
【請求項８】
インクジェット記録ヘッドを往復走査させながら前記インクジェット記録ヘッドから記録媒体に対してインクを吐出することで前記記録媒体上に画像を記録するインクジェット記録装置であって、
画像に含まれる所定の領域を抽出する領域抽出手段と、
前記領域抽出手段によって抽出された前記所定の領域とそれ以外の領域との境界線を検出し、この境界線と基準線との角度を算出する算出手段と、
前記算出手段によって算出された前記角度が所定の範囲に含まれるか否かを判断する判断手段と、
前記判断手段による結果と前記境界線を鮮明にする処理を行うか否かに関する情報とに基づいて、前記境界線を記録するための前記インクジェット記録ヘッドの走査方向を決定する決定手段と、
前記決定手段によって決定された前記走査方向に応じて前記境界線を記録する手段と、
を備えることを特徴とするインクジェット記録装置。
【請求項９】
前記算出手段は、前記所定の領域に含まれる複数の境界線を検出し、これらの境界線と前記基準線との角度を順次算出することを特徴とする請求項８に記載のインクジェット記録装置。
【請求項１０】
インクジェット記録ヘッドを往復走査させながら前記インクジェット記録ヘッドから記録媒体に対してインクを吐出することで前記記録媒体上に画像を記録するインクジェット記録方法であって、
画像に含まれる所定の領域を抽出する領域抽出工程と、
前記領域抽出工程で抽出された前記所定の領域における境界部を記録するための前記インクジェット記録ヘッドの走査方向を、前記境界部を鮮明にする処理を行うか否かに関する情報に基づいて決定する決定工程と、
前記決定工程で決定された前記走査方向に応じて前記境界部を記録する記録工程と、
を備えることを特徴とするインクジェット記録方法。
【請求項１１】
インクジェット記録ヘッドを往復走査させながら前記インクジェット記録ヘッドから記録媒体に対してインクを吐出することで前記記録媒体上に画像を記録するインクジェット記録方法であって、
画像に含まれる所定の領域を抽出する領域抽出工程と、
前記領域抽出工程において抽出された前記所定の領域における境界部を記録するための前記インクジェット記録ヘッドの走査方向を選択する選択工程と、
前記選択工程において選択された前記走査方向に応じて前記境界部を記録する記録工程とを有し、
前記選択工程では、前記インクジェット記録ヘッドから吐出されるサテライトが主滴よりも前記所定の領域の内部寄りに着弾する確率が高い走査方向と、前記インクジェット記録ヘッドから吐出されるサテライトが主滴よりも前記所定の領域の外部寄りに着弾する確率が高い走査方向とを選択可能であることを特徴とするインクジェット記録方法。
【請求項１２】
インクジェット記録ヘッドを往復走査させながら前記インクジェット記録ヘッドから記録媒体に対してインクを吐出することで前記記録媒体上に画像を記録するインクジェット記録方法であって、
画像に含まれる所定の領域を抽出する領域抽出工程と、
前記領域抽出工程で抽出された前記所定の領域とそれ以外の領域との境界線を検出し、この境界線と基準線との角度を算出する算出工程と、
前記算出工程で算出された前記角度が所定の範囲に含まれるか否かを判断する判断工程と、
前記判断工程での判断の結果と前記境界線を鮮明にする処理を行うか否かに関する情報とに基づいて、前記境界線を記録するための前記インクジェット記録ヘッドの走査方向を決定する決定工程と、
前記決定工程で決定された前記走査方向に応じて前記境界線を記録する記録工程と、
を備えることを特徴とするインクジェット記録方法。
【請求項１３】
インクジェット記録ヘッドを往復走査させながら前記インクジェット記録ヘッドから記録媒体にインクを吐出して前記記録媒体上に画像を記録するインクジェット記録装置を制御するためのコンピュータに、
画像に含まれる所定の領域を抽出する領域抽出工程と、
前記領域抽出工程で抽出された前記所定の領域における境界部を記録する際の前記インクジェット記録ヘッドの走査方向を、前記境界部を鮮明にする処理を行うか否かに関する情報に基づいて決定する決定工程と、
前記決定工程において決定された走査方向の情報を前記インクジェット記録装置へ送信する工程と、
を実行させることを特徴とするプログラム。
【手続補正２】
【補正対象書類名】明細書
【補正対象項目名】発明の名称
【補正方法】変更
【補正の内容】
【発明の名称】インクジェット記録装置およびインクジェット記録方法、並びにプログラム
【手続補正３】
【補正対象書類名】明細書
【補正対象項目名】００２０
【補正方法】変更
【補正の内容】
【００２０】
上記課題を解決するために、本発明によるインクジェット記録装置は、インクジェット記録ヘッドを往復走査させながら前記インクジェット記録ヘッドから記録媒体に対してインクを吐出することで前記記録媒体上に画像を記録するインクジェット記録装置であって、画像に含まれる所定の領域を抽出する領域抽出手段と、前記領域抽出手段によって抽出された前記所定の領域における境界部を記録するための前記インクジェット記録ヘッドの走査方向を、前記境界部を鮮明にする処理を行うか否かに関する情報に基づいて決定する決定手段と、前記決定手段によって決定された前記走査方向に応じて前記境界部を記録する手段と、を備えることを特徴とする。
【手続補正４】
【補正対象書類名】明細書
【補正対象項目名】００２１
【補正方法】変更
【補正の内容】
【００２１】
また、本発明によるインクジェット記録方法は、インクジェット記録ヘッドを往復走査させながら前記インクジェット記録ヘッドから記録媒体に対してインクを吐出することで前記記録媒体上に画像を記録するインクジェット記録方法であって、画像に含まれる所定の領域を抽出する領域抽出工程と、前記領域抽出工程で抽出された前記所定の領域における境界部を記録するための前記インクジェット記録ヘッドの走査方向を、前記境界部を鮮明にする処理を行うか否かに関する情報に基づいて決定する決定工程と、前記決定工程で決定された前記走査方向に応じて前記境界部を記録する記録工程と、を備えることを特徴とする。
さらなる本発明の特徴は、以下本発明を実施するための最良の形態および添付図面によって明らかになるものである。